(57)【特許請求の範囲】
【請求項１】
ユーザー機器により、同一キャリアアグリゲーションセルでの一部や全部のコンポーネントキャリアの測定結果の入った測定レポートを報告し、
前記ユーザー機器により前記測定レポートを報告する前、一つや複数のキャリアアグリゲーションセルでのコンポーネントキャリアやコンポーネントキャリア集合を測定割り当ての測定対象とする基地局からの測定割り当てを、前記ユーザー機器により受信することを、さらに含み、
測定対象がコンポーネントキャリアである場合、ユーザ機器から報告される同一キャリアアグリゲーションでの一部や全部のコンポーネントキャリアの測定結果の入った測定レポートは、
前記キャリアアグリゲーションセルの一つのコンポーネントキャリアでの測定結果によって測定レポートがトリガーされる際、前記ユーザー機器は、前記キャリアアグリゲーションセルのその他のコンポーネントキャリアでの測定結果を同時に報告することを含む
ことを特徴とするキャリアアグリゲーションにおける測定結果の報告方法。
【請求項２】
測定対象がコンポーネントキャリア集合である場合、
前記測定対象は、同一キャリアアグリゲーションセルでの同一周波数帯域にある全部のコンポーネントキャリアの全体集合、又は部分集合を含む
ことを特徴とする請求項１に記載のキャリアアグリゲーションにおける測定結果の報告方法。
【請求項３】
前記基地局から、
前記一つや複数のキャリアアグリゲーションセルの各キャリアアグリゲーションセルの各周波数帯域でのコンポーネントキャリア、及び/又は
前記一つや複数のキャリアアグリゲーションセルの各キャリアアグリゲーションセルの全てのコンポーネントキャリアを、
前記ユーザー機器に通知する
ことを特徴とする請求項１に記載のキャリアアグリゲーションにおける測定結果の報告方法。
【請求項４】
前記基地局は、
各キャリアアグリゲーションセルに唯一の物理セル標識を別途に割り当て、又は、
各キャリアアグリゲーションセルに一つのセル標識を割り当てることにより、
前記ユーザー機器に通知する
ことを特徴とする請求項３に記載のキャリアアグリゲーションにおける測定結果の報告方法。
【請求項５】
前記測定レポートに含まれる前記キャリアアグリゲーションセルのその他のコンポーネントキャリアでの測定結果には、
前記キャリアアグリゲーションセルのその他のコンポーネントキャリアでの同類の測定タスクにおいて、すでにイベントトリガー条件を満たし、対応するセルリストに保存されている測定結果、及び/又は
前記キャリアアグリゲーションセルの前記コンポーネントキャリアでの測定結果により、測定レポートがトリガーされる際、又はトリガーされる前の、物理層から無線リソース制御エンティティＲＲＣに報告され、ＲＲＣでのイベント評価を経ていない該キャリアアグリゲーションセルのその他のコンポーネントキャリアでの最後の一回の測定結果、
を含む
ことを特徴とする請求項１に記載のキャリアアグリゲーションにおける測定結果の報告方法。
【請求項６】
測定対象がコンポーネントキャリア集合である場合、
前記ユーザー機器から前記測定レポートを報告する前に、
前記ユーザー機器により、同一周波数帯域での同一キャリアアグリゲーションセルにある一部や全部のコンポーネントキャリアでの測定結果に対し、イベント評価を行い、又は、
前記ユーザー機器により、キャリアアグリゲーションセルにある全てのコンポーネントキャリアでの測定結果に対し、イベント評価を行うこと
をさらに含む
ことを特徴とする請求項１に記載のキャリアアグリゲーションにおける測定結果の報告方法。
【請求項７】
測定対象がコンポーネントキャリア集合である場合、
前記ユーザー機器から報告される同一キャリアアグリゲーションにある一部や全部のコンポーネントキャリアでの測定結果の入った測定レポートは、
コンポーネントキャリア集合の測定結果が、イベントトリガー条件を満たした場合、前記ユーザー機器から報告される前記コンポーネントキャリア集合での各コンポーネントキャリアでの測定結果を含む
ことを特徴とする請求項６に記載のキャリアアグリゲーションにおける測定結果の報告方法。
【請求項８】
前記キャリアアグリゲーションセルは、
前記ユーザー機器のサービスセル、又は
前記サービスセルの隣接セル
を含む
ことを特徴とする請求項１に記載のキャリアアグリゲーションにおける測定結果の報告方法。
【請求項９】
基地局からの測定割り当てを受信するための受信ユニットと、
受信ユニットで受信した測定割り当てにより、測定評価を実行するための測定評価ユニットと、
測定評価ユニットで測定評価した後の測定評価結果により、前記基地局へ同一キャリアアグリゲーションセルでの複数や全部のコンポーネントキャリアの測定結果を含んだ測定レポートを報告するための報告ユニットと、
を含むことを特徴とするユーザー機器であって、
前記測定割り当てには、複数の測定タスクが入っていて、
各測定タスクの測定対象は、一つや複数のキャリアアグリゲーションセルでのコンポーネントキャリアやコンポーネントキャリア集合であって、
前記一つや複数のキャリアアグリゲーションセルは前記ユーザー機器のサービスセル、及び/又は隣接セルであって、
前記報告ユニットは、前記キャリアアグリゲーションセルの一つのコンポーネントキャリアでの測定結果によって測定レポートがトリガーされる際、前記キャリアアグリゲーションセルのその他のコンポーネントキャリアでの測定結果を同時に報告する
ことを特徴とするユーザー機器。
【請求項１０】
前記受信ユニットは、
前記基地局からの前記一つや複数のキャリアアグリゲーションセルの各周波数帯域にあるコンポーネントキャリア、及び/又は各キャリアアグリゲーションセルでの全てのコンポーネントキャリアについての通知を受信するためのものである
ことを特徴とする請求項９に記載のユーザー機器。
【発明の詳細な説明】
【技術分野】
【０００１】
本発明はモバイル通信技術分野に関し、特に、キャリアアグリゲーションにおける測定結果の報告方法及びユーザー機器に関する。
【背景技術】
【０００２】
モバイルユーザーに向けてより高いデータレートを提供するために、長期的進化・発展システム（Ｌｏｎｇ  Ｔｅｒｍ  Ｅｖｏｌｕｔｉｏｎ  Ａｄｖａｎｃｅ；ＬＴＥ−Ａと言う）においては、キャリアアグリゲーション（Ｃａｒｒｉｅｒ  Ａｇｇｒｅｇａｔｉｏｎ；ＣＡと言う）技術が提案された。
その目的は、相応なる機能を持つユーザー機器（Ｕｓｅｒ  Ｅｑｕｉｐｍｅｎｔ；ＵＥと言う）に対してより広い帯域幅を提供し、ＵＥのピークレートを向上するためである。
ＬＴＥにおいて、システムの支援する下りリンクの最大伝送帯域幅は２０ＭＨｚである。
キャリアアグリゲーションは、二つまたはそれ以上のコンポーネントキャリア（Ｃｏｍｐｏｎｅｎｔ  Ｃａｒｒｉｅｒｓ；ＣＣと言う）を集積させ、一つのセルを構成する。従って、そのセルは、２０ＭＨｚ以上〜１００ＭＨｚ以下の下りリンク伝送帯域幅を支援し、キャリアアグリゲーション技術を用いたため、キャリアアグリゲーションセルと言う。
【０００３】
キャリアアグリゲーションセルにおいて、コンポーネントキャリアは、ＬＴＥとの互換性のある是非によって、後方互換コンポーネントキャリアと、非後方互換コンポーネントキャリアとに分けられる。
非後方互換コンポーネントキャリアの場合、ＬＴＥ−ＡのＵＥでないと、利用することができない。
各コンポーネントキャリアは、必ずしも全部のブロードキャストシステム情報やページング情報が必要とは限らず、また、コンポーネントキャリア毎に必ずしもランダムアクセスリソースが存在するわけでもない。
ＵＥは、キャリアアグリゲーションセルにアクセスする際、任意のランダムアクセスリソースが存在するコンポーネントキャリアへアクセスしても良い。
アクセスに成功後、サービスのニーズに応じ、基地局では専用シグナリング（例えば、無線リソース制御（Ｒａｄｉｏ  Ｒｅｓｏｕｒｃｅ  Ｃｏｎｔｒｏｌ；ＲＲＣという）により改めて接続を割り当て（ＲＲＣ  Ｃｏｎｎｅｃｔｉｏｎ  Ｒｅｃｏｎｆｉｇｕｒａｔｉｏｎ）、この制御を通じて、ＵＥにその他の必要なコンポーネントキャリアを割り当てる場合がある。
【０００４】
モバイル通信システムにて、サービスクオリティを保証し、ユーザーに対してより良いサービス体験を提供するために、ＵＥは、あるセルでネットワークに接続してから、サービスセルと隣接セルとの信号品質を測定し、適切なセルを選び、ハンドオフすることで移動性の要求を満足させる。
ここでは、ＬＴＥシステム内の測定を例とする。
ネットワーク側で、測定制御メッセージをＵＥへ送信し、測定を行うよう指示する。ここで、該測定制御メッセージは以下のものを含む。
測定対象（ｍｅａｓｕｒｅｍｅｎｔ  ｏｂｊｅｃｔ；ＭＯという）：ＭＯは、ＬＴＥの周波数である。
測定レポート割り当て（ｒｅｐｏｒｔ  ｃｏｎｆｉｇｕｒａｔｉｏｎ；ＲＣという）：ＲＣにより測定レポートの属性を割り当てる。例えば、測定レポートをイベントレポートにするかまたは周期的レポートにするか、またそのそれぞれの割り当てパラメーターを指定する。
測定標識（ｍｅａｓｕｒｅｍｅｎｔ標識、ＭＩＤという）：ＭＩＤは、実際の測定タスクそれぞれの標識である。ＭＩＤは、一つのＭＯと一つのＲＣとを関連付けるものであり、唯一の測定タスク、即ち、ある周波数における唯一の測定割り当て情報を表す。
また、測定制御メッセージは、
セルの信号品質閾値を表わす測定閾値（ｓ−Ｍｅａｓｕｒｅ）、
測定量を指定する測定量割り当て（ｑｕａｎｔｉｔｙ  ｃｏｎｆｉｇｕｒａｔｉｏｎ）、
異なる周波数、異なるシステムの測定などを割り当てる測定ギャップの割り当て（Ｍｅａｓｕｒｅｍｅｎｔ  ｇａｐ  ｃｏｎｆｉｇｕｒａｔｉｏｎ）、
をさらに含む。
ＵＥは、ＭＩＤの数で、測定タスクの数を把握できる。ＭＩＤに対応するＭＯとＲＣにより、測定タスクの属性、例えば、測定方法、報告方法などを取得する。
【０００５】
接続状態におけるＵＥのモビリティを保証するために、ＵＥは、サービスセルと隣接セルとについて測定を行い、イベントトリガー条件を満たす測定対象を報告することを必要とする。
サービスセルでの測定イベントには主に、
Ａ１イベント：測定イベントトリガー条件は、サービスセルでの信号品質が所定の閾値を超えることと、
Ａ２イベント：測定イベントトリガー条件は、サービスセルでの信号品質が所定の閾値より低いことと、がある。
隣接セルでの測定イベントには、主に、
Ａ３イベント：測定イベントトリガー条件は、隣接セルでの信号品質が、サービスセルでの信号品質と比べて、所定の閾値より高いことと、
Ａ４イベント：測定イベントトリガー条件は、隣接セルでの信号品質が所定の閾値を超えることと、
Ａ５イベント：測定イベントトリガー条件は、サービスセルでの信号品質が所定の閾値１より低く、かつ、隣接セルでの信号品質が所定の閾値２より高いことと、がある。
【０００６】
モビリティを確保するための上記のイベントタイプでの測定において、ＵＥは、
ネットワークからの測定割り当てパラメーターに基づき、各測定対象の測定結果のイベントに対し評価をし、
イベントトリガー条件を満たすセルを、測定標識に対応するセルリストに保存し、
信号品質が良い順に、該測定標識の対応するセルリストからいくつかのセルを取得し（報告するセル数はネットワークで指定されるセル数を超えてはならない）、
測定レポートを作成し、
ネットワーク側へ送信する。
【０００７】
測定対象を測定する場合、異なるシステムにおいては異なる測定量を測定し、いずれもセルの信号品質または信号強度を反映するものである。
ＬＴＥにおいて、ＵＥは、受信した参照信号のパワー（Ｒｅｆｅｒａｎｃｅ  Ｓｉｇｎａｌ  Ｒｅｃｅｉｖｅｄ  Ｐｏｗｅｒ；ＲＳＲＰという、単位：ｄＢＭ）や参照信号の品質（Ｒｅｆｅｒｅｎｃｅ  Ｓｉｇｎａｌ  Ｒｅｃｅｉｖｅｄ  Ｑｕａｌｉｔｙ；ＲＳＲＱという、単位：ｄＢ）を測定する。
【０００８】
ＬＴＥシステムでは、セル毎に単一の周波数を使うため、測定する場合にも、単一の周波数だけを測定対象とする。
そのため、イベント評価の場合にあっても、単一の周波数でのセルの信号強度（例えばＡ１、Ａ２、Ａ４イベント）だけを評価するか、または単一の周波数の隣接セルがサービスセルに対する信号強度（例えば、Ａ３、Ａ５イベント）を評価することが必要であり、測定レポートの報告やハンドオフの場合に、すべてのセルにおいて単一の周波数が処理対象になる。
これに対し、ＬＴＥ―Ａには、キャリアアグリゲーションが導入され、キャリアアグリゲーションセルが採用され、一つのセルに複数のコンポーネントキャリアが存在している。
そのため、仮に既存のＬＴＥ測定メカニズムを採用して、各コンポーネントキャリアの測定結果が各々で独立した報告とされてしまうと、ネットワーク側で受信したコンポーネントキャリアの測定結果が時間的に離散したものになってしまう。
つまり、一つの時点で、ネットワーク側はコンポーネントキャリアにおける測定結果を一つだけ取得することとなり、ネットワーク側ではこれによりキャリアアグリゲーションセルでのチャネル品質への総合評価を正確に行うことができない。
従って、ユーザーのキャリアアグリゲーションセル間でのハンドオフ時のサービス品質を確保できず、ユーザーのキャリアアグリゲーションセル間での良好なモビリティを確保することができない。
【発明の概要】
【発明が解決しようとする課題】
【０００９】
上記に鑑み、既存技術においてネットワーク側で一つのコンポーネントキャリアにおける測定結果しか取得できず、ネットワーク側ではキャリアアグリゲーションセルのチャネル品質を正確に評価できないという問題を解決するために、本発明は、キャリアアグリゲーションにおける測定結果の報告方法を提供する。
【課題を解決するための手段】
【００１０】
本発明の一方面により、キャリアアグリゲーションの測定結果の報告方法が提供される。
【００１１】
本発明によるキャリアアグリゲーションの測定結果の報告方法は、ユーザー機器により、同一キャリアアグリゲーションセルでの一部またはすべてのコンポーネントキャリア測定結果の測定レポートを報告することを含む。
【００１２】
本発明のもう一方面により、ユーザー機器が提供される。
【００１３】
本発明によるユーザー機器は、受信ユニット、測定評価ユニット、報告ユニットを含む。
ここで、受信ユニットは、基地局からの測定割り当てを受信するためのものであり、その測定割り当てには、一つや複数の測定タスクが割り当てられ、各測定タスクの測定対象は、一つまたは複数のキャリアアグリゲーションセルのコンポーネントキャリアまたはコンポーネントキャリア集合である。一つまたは複数のキャリアアグリゲーションセルは、ユーザー機器のサービスセル及び/又は隣接セルである。
測定評価ユニットは、受信ユニットで受信した測定割り当てを利用し、測定を評価するためのものである。
報告ユニットは、測定評価ユニットで実行した測定評価結果に基づき、同一キャリアアグリゲーションセルにある複数またはすべてのコンポーネントキャリアの測定結果の測定報告を基地局へ報告する。
【発明の効果】
【００１４】
本発明による上記技術案の少なくとも一つにより、基地局からＵＥへ測定割り当てを送信する際、各測定タスクの測定対象をコンポーネントキャリアやコンポーネントキャリア集合に割り当てる。
ＵＥは、測定割り当てに基づき、測定評価を実行し、また測定評価の結果に基づき同一アグリゲーションセルにある複数やすべてのコンポーネントキャリアの測定結果が入った測定レポートを基地局へ送信する。
よって、ネットワーク側で一つのコンポーネントキャリアセルにおける測定結果しか取得できないためにネットワーク側でキャリアアグリゲーションセルのチャネル品質を正しく評価できないという問題を解決する。
更に、ＵＥがキャリアアグリゲーションセル間でハンドオフする際のサービス品質や、キャリアアグリゲーションセル間での良好なモビリティを確保できる。
【００１５】
本発明のその他の特徴及び利点については、本明細書の以下の内容により説明される。
また、その一部は発明の詳細な説明、または本発明を実施することで明らかになる。
本発明の目的、その他の利点は、本明細書、請求の範囲、及び図面に提示された構造で実現することができる。
図面は、本発明の理解を深めるためのものであり、明細書の一部となり、実施例に合わせて本発明を解釈するために使われるものであり、本発明を不当に制限するものではない。
【図面の簡単な説明】
【００１６】
【図１】図１は、本発明の実施例に係るキャリアアグリゲーションの測定結果の報告方法のフローチャートである。
【図２】図２は、実施例１における各キャリアアグリゲーションセルでのコンポーネントキャリアの分布を示す図である。
【図３】図３は、実施例２における各アグリゲーションセルでのコンポーネントキャリアの分布を示す図である。
【図４】図４は、実施例３における各アグリゲーションセルでのコンポーネントキャリアの分布を示す図である。
【図５】図５は、実施例４における各アグリゲーションセルでのコンポーネントキャリアの分布を示す図である。
【図６】図６は、本発明の実施例に係るユーザー機器の構造を示す図である。
【発明を実施するための形態】
【００１７】
既存技術においてネットワーク側が一つのコンポーネントキャリアにおける測定結果しか取得できないためにネットワーク側ではキャリアアグリゲーションセルにおけるチャネル品質への評価を正確に実行できないという問題を解決するために、本発明の実施例は、キャリアアグリゲーションセルの測定結果の報告方法を提供する。
本発明の実施例により、基地局は、ＵＥへ測定割り当てを送信する際に、各測定タスク（ＭＩＤ）の測定対象（ＭＯ）をＵＥのサービスセルや隣接セルでのコンポーネントキャリアに割り当てる。
ＵＥは、基地局からの測定割り当てを受信すると、測定割り当てに基づき測定評価を実行し、測定評価結果によって、同一キャリアアグリゲーションセルにある複数または全部のコンポーネントキャリアの測定結果が入った測定レポートを基地局へ送信する。
矛盾することがなければ、本発明の実施例や実施例にある特徴は互いに組み合わせることができる。
【００１８】
以下は図面と合わせ、本発明の好適な実施例を説明する。ここで記載する好適な実施例は本発明の説明や解釈に使われるものであり、本発明を限定するものではない。
【００１９】
本発明の実施例により、キャリアアグリゲーションにおける測定結果の報告方法を提供する。
【００２０】
図１は、本発明の実施例に係るキャリアアグリゲーションの測定結果の報告方法のフローチャートである。図１に示すように、本発明の実施例に係るキャリアアグリゲーションの測定結果の報告方法は、以下のステップ（ステップＳ１０１−ステップＳ１０３）を含む。
【００２１】
ステップＳ１０１：
ＵＥは、基地局から送信される測定割り当てを受信する。ここで、該測定割り当てには測定タスクが一つまたは複数入っている。
各測定タスクの測定対象は、一つまたは複数のキャリアアグリゲーションセルのコンポーネントキャリアまたはコンポーネントキャリア集合である。
一つまたは複数のキャリアアグリゲーションセルは、ＵＥのサービスセル及び/又は隣接セルである。
【００２２】
具体的には、基地局は、各測定タスク（ＭＩＤ標識により）に測定対象を割り当てる。
各測定対象は、一つのコンポーネントキャリアまたは一つまたは複数のコンポーネントキャリア集合である。
【００２３】
ステップＳ１０３：
ＵＥは、上記測定割り当てにより、測定評価を実行する。
そして、測定評価結果によって、同一キャリアアグリゲーションセルにある複数または全部のコンポーネントキャリアの測定結果を含む測定レポートを基地局側へ送信する。
【００２４】
基地局は、ＵＥからの同一キャリアアグリゲーションセルにある複数または全部のコンポーネントキャリアの測定結果を受信した後、当該複数または全部のコンポーネントキャリアの測定結果に基づき、キャリアアグリゲーションセルのチャネル品質を総合的に評価できる。
ＵＥがキャリアアグリゲーションセル間でハンドオフする際のサービス品質を保証し、アグリゲーションセル間での良好なモビリティを保証できる。
【００２５】
本発明の実施例によるキャリアアグリゲーションにおける測定結果の報告方法において、ＵＥは、同一キャリアアグリゲーションセルにある複数または全部のコンポーネントキャリアの測定結果が入った測定レポートを基地局へ送信する。
【００２６】
本発明の実施例において、基地局からＵＥへ送信した測定割り当てにおける各測定タスクの測定対象は、コンポーネントキャリア、またはコンポーネントキャリア集合に分けられる。
ここで、本発明の実施例において、コンポーネントキャリア集合とは、キャリアアグリゲーションセル（サービスセルや隣接セル）の同一周波数帯域におけるコンポーネントキャリアの全体集合や一つの部分集合、又はキャリアアグリゲーションセルにあるコンポーネントキャリアの全体集合を意味する。
【００２７】
測定対象にはコンポーネントキャリアとコンポーネントキャリア集合の２種類が存在するため、本発明の実施例における処理方法はそれぞれ異なる。以下は、この２種類の測定対象を例に、本発明の実施例により提供した技術案を説明する。
【００２８】
実施例１．
本実施例において、基地局はＵＥに対し、測定タスクを割り当てる際、各測定タスクの測定対象を一つのコンポーネントキャリアに割り当てる。
【００２９】
図２は、本実施例における各キャリアアグリゲーションセルのコンポーネントキャリアの分布を示す図である。
図２で示すように、本実施例において、キャリアアグリゲーション機能を持つＵＥは、キャリアアグリゲーションのサービスセルに留まっている。該サービスセルは、ＣＣ１、ＣＣ２、ＣＣ３の三つのコンポーネントキャリアのアグリゲーションを支援する。
この三つのコンポーネントキャリアは、すべて周波数帯域１に位置し、ＣＣ１とＣＣ２は連続的であり、ＣＣ３はその他の二つのコンポーネントキャリアと非連続的となっている。
隣接セル１と隣接セル２は、該サービスセルの隣接セルであり、両方とも周波数帯域を跨ぐキャリアアグリゲーションである。ＣＣ１、ＣＣ２、ＣＣ４の三つのコンポーネントキャリアのアグリゲーションを支援する。ここで、ＣＣ１とＣＣ２は、周波数帯域１に位置し、連続している。ＣＣ４は、周波数帯域２に位置する。
【００３０】
ＵＥは、サービスを立ち上げ、ＣＣ１によりサービスセルにアクセスする。
但し、現在のサービスストリームが大きいため、サービスセルへのアクセスに成功した後、基地局がまた、ＵＥにコンポーネントキャリアＣＣ２を割り当てる。
つまり、現在、ＵＥはＣＣ１、ＣＣ２二つのコンポーネントキャリアを同時に使っている。
この二つのコンポーネントキャリアの集合をワーキングキャリア集合やアクティブキャリア集合という。
【００３１】
基地局は、測定割り当て（ＲＲＣ接続の改めての割り当てシグナリングに含まれてもよい）により、ＵＥに対して以下の測定タスクを割り当てる。
【００３２】
測定タスク１（ＭＩＤ１で表記）：サービスセルのコンポーネントキャリアＣＣ１での信号強度が所定の閾値を超える（ＣＣ１でのＡ１イベント）。
【００３３】
測定タスク２（ＭＩＤ２で表記）：サービスセルのコンポーネントキャリアＣＣ１での信号強度が所定の閾値より低い（ＣＣ１でのＡ２イベント）。
【００３４】
測定タスク３（ＭＩＤ３で表記）：サービスセルのコンポーネントキャリアＣＣ２での信号強度が所定の閾値を超える（ＣＣ２でのＡ１イベント）。
【００３５】
測定タスク４（ＭＩＤ４で表記）：サービスセルのコンポーネントキャリアＣＣ２での信号強度が所定の閾値より低い（ＣＣ２でのＡ２イベント）。
【００３６】
測定タスク５（ＭＩＤ５で表記）：サービスセルはコンポーネントキャリアＣＣ３での信号強度が所定の閾値を超える（ＣＣ３でのＡ１イベント）。
【００３７】
測定タスク６（ＭＩＤ６で表記）：隣接キャリアアグリゲーションセルでのＣＣ１での信号強度またはＣＣ１の隣接ＬＴＥセルでの信号強度（ここでは、ＣＣ１が後方互換するもので、ＣＣ１にＬＴＥセルが存在すると想定、以下同様）が、サービスセルのコンポーネントキャリアＣＣ１での信号強度より、所定のオフセット量高い（ＣＣ１でのＡ３イベント）。
【００３８】
測定タスク７（ＭＩＤ７で表記）：隣接キャリアアグリゲーションセルでのＣＣ２での信号強度またはＣＣ２の隣接ＬＴＥセルでの信号強度が、サービスセルのコンポーネントキャリアＣＣ２での信号強度より、所定のオフセット量高い（ＣＣ２でのＡ３イベント）。
【００３９】
測定タスク８（ＭＩＤ８で表記）：隣接キャリアアグリゲーションセルでのＣＣ４での信号強度またはＣＣ４の隣接ＬＴＥセルでの信号強度が、サービスセルのコンポーネントキャリアＣＣ１での信号強度より、所定のオフセット量高い（ＣＣ４でのＡ３イベント）。
【００４０】
上記内容で挙げられた測定タスクの測定対象は、いずれも一つのコンポーネントキャリアである。
ＭＩＤで表記した上記測定タスクは、上記コンポーネントキャリアそれぞれに異なる測定イベントを割り当てる。
また、基地局は、上記測定タスク以外に、各コンポーネントキャリアを測定対象とし、異なるイベントを割り当てることができる。つまり、上記で挙げられたものとは異なるその他の測定タスクを割り当てることができる。
【００４１】
基地局は、上記測定タスクを割り当てる際、ＵＥへ各キャリアアグリゲーションセルの含むコンポーネントキャリアを通知しなければならない。
具体的な実施方法においては、各キャリアアグリゲーションセル（サービスセルと隣接セルを含む）に単独で唯一の物理セル標識（Ｐｈｙｓｉｃａｌ  Ｃｅｌｌ  Ｉｄｅｎｔｉｔｙ、ＰＣＩという）を割り当てる。つまり、各キャリアアグリゲーションセルの各コンポーネントキャリアに対して、同一のＰＣＩを割り当てる。
また、サービス基地局は、各キャリアアグリゲーションセル（サービスセルと隣接セルを含む）にセル標識（Ｃｅｌｌ ＩＤ）を割り当てる。
各キャリアアグリゲーションセルのセル標識は基地局範囲内において唯一であり、ＵＥは、セル標識により、各キャリアアグリゲーションセルの含むコンポーネントキャリアを判断することができる。
【００４２】
ＵＥは、上記ネットワークからの測定割り当てにより、各測定タスクのコンポーネントキャリアに対する測定を起動し、各コンポーネントキャリアでの測定結果に対し、イベント評価を行う。
イベントトリガー条件を満たしているが、まだ該測定タスクの対応セルリストに保存されていないキャリアアグリゲーションセルの該コンポーネントキャリアでの測定結果またはＬＴＥセルの測定結果（即ち、測定量）を、該測定タスクに対応するセルリストに保存し、測定レポートの作成・報告を行う。
ネットワークから割り当てられた各測定タスクに対し、キャリアアグリゲーションセルの該コンポーネントキャリアでの測定結果がイベントトリガー条件を満たせば、ＵＥは、必ず測定レポートをトリガーする。測定レポートでは、同時に、キャリアアグリゲーションセルのその他のコンポーネントキャリアの測定結果を報告する。
特に、サービスセルに対し、ネットワーク側から割り当てられた測定対象がワーキングコンポーネントキャリアの測定タスクである場合、サービスセルの該ワーキングコンポーネントキャリアでの測定結果がイベントトリガー条件を満たすとき、ＵＥの報告する測定レポートにおいて、該サービスセルのその他のワーキングコンポーネントキャリアでの測定結果のみを同時に報告してもよい。
該キャリアアグリゲーションセルのその他のコンポーネントキャリアでの測定結果は、その他のコンポーネントキャリアでの同類測定タスクにおけるイベントトリガー条件を満たし、対応セルリストに保存されてある測定評価結果であってもよい。
ここで、同類測定タスクとは、該測定タスクに割り当てられたイベントタイプが測定レポートを作動する測定タスクに割り当てられた現在のイベントと同一のタイプの測定タスクであることを指す。
また、該キャリアアグリゲーションセルのその他のコンポーネントキャリアでの測定結果は、イベントトリガー条件を満たす場合またはイベントトリガー条件を満たす前に物理層からＲＲＣへ報告され、ＲＲＣイベント評価を経ていないキャリアアグリゲーションのその他のコンポーネントキャリアでの最後の測定結果であってもよい。
以下は三つの応用例で本実施例の具体的な測定報告について説明する。
【００４３】
応用例１．
測定タスク５において、サービスセルのコンポーネントキャリアＣＣ３での信号強度が、ある時点で、Ａ１イベントトリガー条件を満たしていると想定する。
この時、ＵＥは、該コンポーネントキャリアでの測定結果を測定タスク５つまりＭＩＤ５で表記されるセルリストに保存し、測定レポートを作成する。
測定タスク５に割り当てられたのはＡ１イベント、しかも、ＵＥは測定割り当てメッセージによりキャリアアグリゲーションセルがＣＣ１、ＣＣ２、ＣＣ３からなると分かるため、ＵＥは、測定タスク１と測定タスク３の対応するセルリストを走査する。
ＭＩＤ５で表記される測定レポートを報告する際に、サービスセルのコンポーネントキャリアＣＣ３での測定結果を報告するほか、測定タスク１と測定タスク３の対応するセルリストに保存されたサービスセルのコンポーネントキャリアＣＣ１とＣＣ２での測定結果も同時に報告する（ここでは、サービスセルのコンポーネントキャリアＣＣ１とＣＣ２での信号強度が測定タスク１と測定タスク３の対応するイベントトリガー条件を満たすと想定する。以下同様。サービスセルのコンポーネントキャリアＣＣ１とＣＣ２での信号強度が測定タスク１と測定タスク３の対応するイベント条件を満たさない場合、ＵＥは、サービスセルのコンポーネントキャリアＣＣ３での測定結果だけを報告する。）。
或いは、ＵＥは、現在の物理層からＲＲＣへ報告したサービスセルのＣＣ１とＣＣ２での最後の測定結果を走査する。
ＭＩＤ５で表記の測定レポートには、サービスセルのコンポーネントキャリアＣＣ３での測定結果を報告するほか、物理層からＲＲＣへ報告され、ＲＲＣでイベント評価を行っていないサービスセルのＣＣ１とＣＣ２での最後の測定結果も同時に報告する。
【００４４】
応用例２．
測定タスク１において、サービスセルのコンポーネントキャリアＣＣ１での信号強度がある時点で、ＣＣ１でのＡ１イベントトリガー条件を満たすと想定した場合、ＵＥは、該コンポーネントキャリアでの測定結果を測定タスク１、つまり、ＭＩＤ１で表記のセルリストに保存し、測定レポートを作成する。
測定タスク１で割り当てられたのはＡ１イベント、しかもＵＥはサービスセルへのアクセスに成功した後、ＣＣ１とＣＣ２が現在のサービスセルのワーキングコンポーネントキャリアであることを分かるため、ＵＥは、測定タスク３の対応するセルリストを走査する。
ＭＩＤ１で表記の測定レポートを報告する際、サービスセルのワーキングコンポーネントキャリアＣＣ１での測定結果のほか、測定タスク３の対応するセルリストに保存されたサービスセルのワーキングコンポーネントキャリアＣＣ２での測定結果も同時に報告する。
或いは、ＵＥは、現在の物理層からＲＲＣへ報告され、サービスセルのワーキングコンポーネントキャリアＣＣ２での最後の測定結果を走査する。
報告されるＭＩＤ１で表記の測定レポートには、サービスセルのワーキングコンポーネントキャリアＣＣ１での測定結果のほか、物理層からＲＲＣへ報告され、ＲＲＣでイベント評価を行っていないサービスセルのワーキングコンポーネントキャリアＣＣ２での最後の測定結果も同時に報告する。
【００４５】
応用例３．
測定タスク６において、隣接キャリアアグリゲーションセル１のコンポーネントキャリアＣＣ１での信号強度が、ある時点で、ＣＣ１でのＡ３イベントトリガー条件を満たすと想定した場合、ＵＥは、隣接キャリアアグリゲーションセル１のコンポーネントキャリアＣＣ１での測定結果を測定タスク６、つまり、ＭＩＤ６で表記のセルリストに保存し、測定レポートを作成する。
測定タスク６に割り当てられたのはＡ３イベント、しかもＵＥが測定割り当てメッセージにより、キャリアアグリゲーションの隣接セルがＣＣ１、ＣＣ２とＣＣ４から構成されることが分かるため、ＵＥは、測定タスク７と測定タスク８の対応するセルリストを走査する。
報告されるＭＩＤ６で表記の測定レポートには、隣接キャリアアグリゲーションセル１のＣＣ１での測定結果のほか、測定タスク７と測定タスク８の対応するセルリストに保存された隣接キャリアアグリゲーションセル１のコンポーネントキャリアＣＣ２とＣＣ４での測定結果も同時に報告する。
或いは、ＵＥは、現在の物理層からＲＲＣへ報告された隣接キャリアアグリゲーションセル１のコンポーネントキャリアＣＣ２とＣＣ４での最後の測定結果を走査する。
報告されるＭＩＤ６で表記の測定レポートには、隣接キャリアアグリゲーションセル１のＣＣ１での測定結果のほか、物理層からＲＲＣへ報告され、ＲＲＣでイベント評価をしていない隣接キャリアアグリゲーションセル１のＣＣ２とＣＣ４での最後の測定結果も報告する。
【００４６】
実施例２．
本実施例において、基地局は、ＵＥに測定タスクを割り当てる際、各測定タスクにおける測定対象を一つのコンポーネントキャリアとして割り当てる。
【００４７】
図３は、本実施例のサービスセルと隣接セルのコンポーネントキャリアの分布を示す図である。
図３に示すように、キャリアアグリゲーション機能を持つＵＥは、キャリアアグリゲーションのサービスセルに留まる。該サービスセルは、ＣＣ１、ＣＣ２とＣＣ３の三つのコンポーネントキャリアを支援する。
ここで、ＣＣ１とＣＣ２は、周波数帯域１に位置し、連続している。ＣＣ３は、周波数帯域２に位置する。隣接セル１と隣接セル２は、このサービスセルの隣接しているセルであり、両方とも周波数帯域を跨ぐキャリアアグリゲーションであり、ＣＣ３とＣＣ４との二つのコンポーネントキャリアを支援する。ここで、ＣＣ３は周波数帯域２に位置し、ＣＣ４は周波数３に位置する。
【００４８】
ＵＥは、サービスを立ち上げ、ＣＣ１により、サービスセルへアクセスする。
現在のサービスストリームが大きいため、アクセスに成功した後、基地局はまた、ＵＥにコンポーネントキャリアＣＣ２を割り当てる。つまり、現在、ＵＥは、ＣＣ１とＣＣ２との二つのコンポーネントキャリアを同時に利用している。
本実施例において、ＣＣ１とＣＣ２の伝送特性、パスロス、インターフィアランス状況、カバーレージエリアなどは非常に近いため、基地局側で、モビリティ条件を満たす測定を確定し、ＣＣ１とＣＣ２の中で一つを選んで測定すればよい。
【００４９】
基地局は、測定割り当て（ＲＲＣ接続の改めての割り当てシグナリングに含まれる）により、ＵＥに以下の測定タスクを割り当てる。
【００５０】
測定タスク１（ＭＩＤ１で表記）：サービスセルのコンポーネントキャリアＣＣ１での信号強度が所定の閾値を超える（ＣＣ１でのＡ１イベント）。
【００５１】
測定タスク２（ＭＩＤ２で表記）：サービスセルのコンポーネントキャリアＣＣ１での信号強度が所定の閾値より低い（ＣＣ１でのＡ２イベント）。
【００５２】
測定タスク３（ＭＩＤ３で表記）：サービスセルのコンポーネントキャリアＣＣ３での信号強度が所定の閾値を超える（ＣＣ３でのＡ１イベント）。
【００５３】
測定タスク４（ＭＩＤ４で表記）：サービスセルのコンポーネントキャリアＣＣ１での信号強度が所定の閾値１より低い、かつ、隣接キャリアアグリゲーションセルのコンポーネントキャリアＣＣ３での信号強度又はＣＣ３での隣接ＬＴＥセルの信号強度が所定の閾値２を超える（ＣＣ３でのＡ５イベント）。
【００５４】
測定タスク５（ＭＩＤ５で表記）：サービスセルのコンポーネントキャリアＣＣ１での信号強度が所定の閾値１より低い、かつ、隣接キャリアアグリゲーションセルのコンポーネントキャリアＣＣ４での信号強度又はＣＣ３での隣接ＬＴＥセルの信号強度が所定の閾値２を超える（ＣＣ４でのＡ５イベント）。
【００５５】
基地局は、上記の測定タスクを割り当てる際、ＵＥに各キャリアアグリゲーションセルに存在するコンポーネントキャリアを通知する。具体的な実施方法としては、実施例１に記載された方法を採用してもよい。
【００５６】
そして、ＵＥの測定評価及び測定報告の実行においても実施例１と同じであるため、ここでは記載を略す。
【００５７】
以下の二つの応用例で、本実施例の具体的な測定報告動作について説明する。
【００５８】
応用例１．
測定タスク１において、ある時点で、サービスセルのコンポーネントキャリアＣＣ１での信号強度がＣＣ１でのＡ１イベントトリガー条件を満たすと想定する。
ＵＥは、サービスセルのコンポーネントキャリアＣＣ１での測定結果を、測定タスク１、つまりＭＩＤ１で表記のセルリストに保存し、測定レポートを作成する。
測定タスク１に割り当てられたのはＡ１イベント、しかも、ＵＥは測定割り当てメッセージにより、キャリアアグリゲーションセルがＣＣ１、ＣＣ２とＣＣ３から構成されることと分かるため、ＵＥは、測定タスク３の対応するセルリストを走査する。
報告されるＭＩＤ１で表記の測定レポートには、サービスセルのコンポーネントキャリアＣＣ１での測定結果のほか、測定タスク３の対応するセルリストに保存されたサービスセルのコンポーネントキャリアＣＣ３での測定結果も同時に報告する。
或いは、ＵＥは、物理層からＲＲＣへ報告されたサービスセルのＣＣ３での最後の測定結果を走査する。
報告されるＭＩＤ１で表記の測定レポートには、サービスセルのコンポーネントキャリアＣＣ１での測定結果のほか、物理層からＲＲＣへ報告され、イベント評価を行っていないサービスセルのＣＣ３での最後の測定結果も同時に報告する。
【００５９】
応用例２．
測定タスク４において、ある時点で、隣接キャリアアグリゲーションセル１のコンポーネントキャリアＣＣ３での信号強度がＣＣ３でのＡ３イベントトリガー条件を満たすと想定する。
ＵＥは、隣接キャリアアグリゲーションセル１のコンポーネントキャリアＣＣ３での測定結果を、測定タスク４、つまり、ＭＩＤ４で表記のセルリストに保存し、測定レポートを作成する。
測定タスク４に割り当てられたのはＡ３イベント、しかも、ＵＥは測定割り当てメッセージにより、キャリアアグリゲーションの隣接セルがＣＣ３とＣＣ４から構成されることと分かるため、ＵＥは、測定タスク５に対応するセルリストを走査する。
報告されるＭＩＤ４で表記の測定レポートには、隣接キャリアアグリゲーションセル１のコンポーネントキャリアＣＣ３での測定結果のほか、測定タスク５の対応するセルリストに保存された隣接キャリアアグリゲーションセルＣＣ４での測定結果も同時に報告する。
或いは、ＵＥは、現在の物理層からＲＲＣへ送信され、ＲＲＣでイベント評価していない隣接キャリアアグリゲーションセル１のコンポーネントキャリアＣＣ４での最後の測定結果を走査する。
【００６０】
実施例３．
本実施例において、基地局は、ＵＥに測定タスクを割り当てる際、コンポーネントキャリア集合を各測定タスクの測定対象として割り当てる。具体的には、一つまたは複数のキャリアアグリゲーションセルの一つまたは複数の周波数帯域でのコンポーネントキャリア集合である。
【００６１】
図４は、本実施例のサービスセルと隣接セルとのコンポーネントキャリア分布を示す図である。
図４に示すように、キャリアアグリゲーション機能を持つＵＥは、一つのキャリアアグリゲーションサービスセルに留まる。
該サービスセルは、ＣＣ１、ＣＣ２とＣＣ３の三つのコンポーネントキャリアを支援する。
該三つのコンポーネントキャリアは、いずれも周波数帯域１に位置し、ＣＣ１とＣＣ２が連続していて、ＣＣ３はその他のＣＣ１とＣＣ２と連続していない。
隣接セル１と隣接セル２は、該サービスセルの隣接セルである。隣接セル１は、周波数帯域を跨ぐキャリアアグリゲーションであり、ＣＣ１、ＣＣ２とＣＣ４の三つのコンポーネントキャリアを支援する。ここで、ＣＣ１とＣＣ２は、周波数帯域１に位置し、連続している。ＣＣ４は、周波数帯域２に位置する。
隣接セル２は、単一周波数帯域に位置するキャリアアグリゲーションであり、コンポーネントキャリア、ＣＣ５とＣＣ６との二つのコンポーネントキャリアを支援する。ＣＣ５とＣＣ６は周波数帯域２に位置し、連続している。
【００６２】
ＵＥは、サービスを立ち上げ、ＣＣ１により、サービスセルへアクセスする。
現在のサービスストリームが大きいため、サービスセルへのアクセスに成功した後、基地局は、また、ＵＥにコンポーネントキャリアＣＣ２を割り当てる。
つまり、現在のＵＥは、ＣＣ１とＣＣ２の二つのコンポーネントキャリアを同時に利用している。
同一周波数帯域に位置する該二つのコンポーネントキャリアの集合は、サービスセルの該周波数帯域でのワーキングキャリア集合またはアクティブキャリア集合という。
同一周波数帯域における各コンポーネントキャリアの伝送特性、パスロスなどの特性が非常に近いため、本実施例において、基地局で隣接セルでの測定割り当てを行う場合、キャリアアグリゲーションセルの同一周波数帯域でのコンポーネントキャリア集合だけを測定評価対象とする。
サービスセルでの測定割り当てに対し、測定の目的によって、サービスセルの同一周波数帯域に位置するワーキングキャリア集合を測定評価対象にしても良く、サービスセルのコンポーネントキャリア全体を測定評価対象にしてもよい。
【００６３】
基地局は、測定割り当てにより（ＲＲＣ接続再割り当てシグナリングに含まれる）、ＵＥに下記の測定タスクを割り当てする。
【００６４】
測定タスク１（ＭＩＤ１で表記）：サービスセルのコンポーネントキャリアＣＣ１とＣＣ２での信号強度がいずれも所定の閾値を超える。つまり、サービスセルの周波数帯域１でのワーキングキャリア集合における各コンポーネントキャリアの信号強度がすべて所定の閾値を超える。本測定タスクの測定対象は、周波数帯域１でのワーキングキャリアによって構成されるコンポーネントキャリア集合である。
【００６５】
測定タスク２（ＭＩＤ２で表記）：サービスセルのコンポーネントキャリアＣＣ１とＣＣ２での信号強度がいずれも所定の閾値より低い、つまり、サービスセルの周波数帯域１でのワーキングキャリア集合の各コンポーネントキャリアでの信号強度が全部所定の閾値より低い。本測定タスクの測定対象は、サービスセルの周波数帯域１でのワーキングキャリアから構成されるコンポーネントキャリア集合である。
【００６６】
測定タスク３（ＭＩＤ３で表記）：サービスセルのコンポーネントキャリアＣＣ３での信号強度が所定の閾値を超える。本測定タスクの測定対象は、サービスセルの周波数帯域１での非ワーキングキャリアから構成されるコンポーネントキャリア集合である。
【００６７】
測定タスク４（ＭＩＤ４で表記）：サービスセルの周波数帯域１でのワーキングキャリア集合における各コンポーネントキャリアの信号強度がすべて所定の閾値１より低い、かつ、隣接キャリアアグリゲーションセルのある周波数帯域でのコンポーネントキャリア集合の各コンポーネントキャリアでの信号強度がすべて所定の閾値２を超える。本測定タスクの測定対象は、一つまたは複数の隣接キャリアアグリゲーションセルの一つまたは複数の周波数帯域でのコンポーネントキャリア集合である。
本実施例では具体的には、隣接セル１に、周波数帯域１でのコンポーネントキャリア集合が含まれ、該コンポーネントキャリア集合には、コンポーネントキャリアＣＣ１とコンポーネントキャリアＣＣ２が含まれる。
隣接セル１の周波数帯域２にはコンポーネントキャリアＣＣ４が含まれる。
隣接セル２には、周波数帯域２でのコンポーネントキャリア集合が含まれ、該コンポーネントキャリア集合には、コンポーネントキャリアＣＣ５とＣＣ６が含まれる。  
【００６８】
基地局は、上記の測定タスクを割り当てる際、各キャリアアグリゲーションセルの各周波数帯域でのコンポーネントキャリア集合、つまり、各キャリアアグリゲーションセルの各周波数帯域に含まれるコンポーネントキャリアをＵＥに通知しなければならない。
具体的な実施方法については、キャリアアグリゲーションセルに対し、単独で唯一の物理セル標識（Ｐｈｙｓｉｃａｌ  Ｃｅｌｌ  Ｉｄｅｎｔｉｔｙ；ＰＣＩ）を割り当て、即ち、キャリアアグリゲーションセルの各コンポーネントキャリアにおいて、同様のＰＣＩを割り当て、ユーザー機器で測定評価を行う際、これに基づいて、各キャリアアグリゲーションセルの各周波数帯域に含まれるコンポーネントキャリアを判断することができる。
或いは、各キャリアアグリゲーションセルに対し、一つのセル標識（Ｃｅｌｌ  ＩＤ）を割り当て、各キャリアアグリゲーションセルのセル標識は基地局範囲内では唯一存在するものであり、ユーザー機器で、測定評価を行う際に、セル標識に基づいて、各キャリアアグリゲーションセルの各周波数帯域に含まれるコンポーネントキャリアを判断することができる。
ここで、サービスセルの各周波数帯域でのワーキングキャリア集合に対し、基地局では測定割り当てを行う前に、ＲＲＣ層の専用無線リソース割り当て（ＲＲＣ接続再割り当てシグナリングに含まれる）、またはメディアアクセス制御（Ｍｅｄｉａ  Ａｃｃｅｓｓ  Ｃｏｎｔｒｏｌ；ＭＡＣという）層のシグナリング若しくは物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＵＣＣＨという）により、ユーザー機器に通知する。本実施例では、ＲＲＣ層における専用無線リソース割り当てで実現する。
【００６９】
ＵＥは、ネットワーク側からの上記測定割り当てに基づいて、各周波数帯域でのコンポーネントキャリアに対し、測定を行い、各周波数帯域における同一キャリアアグリゲーションセルのコンポーネントキャリアにおける測定結果に対し、イベント評価を行う。
イベントトリガー条件を満たすが、該測定タスクの対応するセルリストに保存されていない同一キャリアアグリゲーションセルの各コンポーネントキャリアでの測定結果を、該測定タスクの対応するセルリストに保存し、測定レポートを作成し、報告する。
測定タスク４を例にする。
【００７０】
ある時点で、
サービスセルの周波数帯域１でのコンポーネントキャリアＣＣ１、ＣＣ２での信号強度がすべて所定の閾値１より低い場合であって、且つ、
隣接セル１の周波数帯域２でのコンポーネントキャリアＣＣ４での信号強度が所定の閾値２を超えるとき、もしくは隣接セル２の周波数帯域２でのコンポーネントキャリアＣＣ５とＣＣ６での信号強度もすべて所定の閾値２を超えるとき、
ＵＥは、周波数帯域２における隣接セル１のＣＣ４での測定結果と隣接セル２のＣＣ５とＣＣ６での測定結果を測定タスク４、即ちＭＩＤ４で表記のセルリストに保存し、測定レポートの作成を行う。
測定レポートには、隣接セル１のＣＣ４での測定結果及び隣接セル２のＣＣ５とＣＣ６での測定結果を報告する。
【００７１】
上記に挙げた測定タスクにおける測定対象はいずれも、キャリアアグリゲーションセルの同一周波数帯域での全部のコンポーネントキャリアの全体集合または部分集合である。
ＭＩＤで表記された上記測定タスクは、これらのコンポーネントキャリアの集合に対し、それぞれ異なる測定イベントを割り当てる。
また、これらの測定タスクは、基地局で割り当て可能の測定タスクの一部に過ぎない。
基地局は、同一周波数帯域における全部のコンポーネントキャリアの全体集合または部分集合を測定対象とし、異なるイベント（上記に挙げたタスクとは異なるその他の測定タスク）を割り当てることも可能である。
【００７２】
上記測定タスクにおいて、測定タスク１と測定タスク２は、ネットワーク側に測定タスク３をオン/オフに決定するための判断基準となる。上記測定タスクのほか、ネットワーク側に隣接セルでの測定をオン/オフにするための判断基準も提供する。また、ネットワーク側では、ユーザー機器に以下の測定タスクを割り当てることができる。
【００７３】
測定タスク５（ＭＩＤ５で表記）：サービスセルのすべてのコンポーネントキャリアでの信号強度がすべて所定の閾値より低い。
【００７４】
測定タスク６（ＭＩＤ６で表記）：サービスセルのすべてのコンポーネントキャリアでの信号強度がすべて所定の閾値を超える。
【００７５】
基地局で上記の測定タスクを割り当てる場合、サービスセルに存在するコンポーネントキャリアをユーザー機器に通知しなければならない。具体的な実施方法は実施例１と類似しているため、ここでは記述を略す。
【００７６】
ユーザー機器は、サービスセルの全てのコンポーネントキャリアでの測定結果に対し、測定評価を行う。
サービスセルの全てのコンポーネントキャリアでの信号強度が所定の閾値より低いまたは高い場合、ユーザー機器から基地局へ測定レポートを報告する。
測定レポートには、サービスセルの全てのコンポーネントキャリアでの測定結果を含んでもよく、ＭＩＤ情報のみ含んでもよい。
ネットワーク側では、該ＭＩＤ情報により、サービスセルの全てのコンポーネントキャリアでの信号強度が所定の閾値より低いまたは高いことを判断する。
それで、ネットワーク側では、隣接セルでの測定をオン/オフにし、つまり、ＵＥに隣接セルでの測定タスクを割り当てるかの判断基準として利用できる。
【００７７】
実施例４
本実施例では、基地局がＵＥに測定タスクを割り当てる場合、各測定タスクの測定対象をコンポーネントキャリア集合に割り当てる。
具体的には、一つまたは複数のキャリアアグリゲーションセルの一つまたは複数の周波数帯域でのコンポーネントキャリア集合である。
【００７８】
図５は、本実施例のサービスセルと隣接セルでのコンポーネントキャリアの分布を示す図である。
図５に示すように、キャリアアグリゲーション機能を持つＵＥは、一つのキャリアアグリゲーションのサービスセルに留まる。
該サービスセルは、ＣＣ１、ＣＣ２とＣＣ３の三つのコンポーネントキャリアを支援する。
ここで、ＣＣ１とＣＣ２は、周波数帯域１に位置し、連続している。ＣＣ３は、周波数帯域２に位置する。
隣接セル１と隣接セル２は、該サービスセルの隣接しているセルである。
隣接セル１は、周波数帯域を跨ぐキャリアアグリゲーションであり、ＣＣ１、ＣＣ２とＣＣ３の三つのコンポーネントキャリアを支援する。ここで、ＣＣ１とＣＣ２は、周波数帯域１に位置し、連続している。ＣＣ３は、周波数帯域２に位置する。
隣接セル２は、単一周波数帯域でのキャリアアグリゲーションであり、ＣＣ４とＣＣ５の二つのコンポーネントキャリアを支援する。ＣＣ４とＣＣ５は、周波数帯域３に位置し、連続している。
【００７９】
ＵＥは、サービスを立ち上げ、ＣＣ１により、サービスセルへアクセスする。
現在のサービスストリームが大きいため、サービスセルへのアクセスに成功した後、基地局は、またＵＥにコンポーネントキャリアＣＣ２とＣＣ３を割り当てる。
つまり、現在、ＵＥは、三つのコンポーネントキャリアＣＣ１、ＣＣ２とＣＣ３を同時に利用している。
ＣＣ１とＣＣ２は周波数帯域１にあるため、該二つのコンポーネントキャリアの集合は、サービスセルの該周波数帯域でのワーキングキャリア集合やアクティブキャリア集合という。
周波数帯域２に複数のワーキングキャリアが存在する場合、サービスセルの周波数帯域２でのワーキングキャリア集合またはアクティブキャリア集合ともいう。
同一周波数帯域における各コンポーネントキャリアの伝送、パスロスなどの特性が非常に近いため、本実施例では、基地局が隣接セルでの測定割り当てを行う際、キャリアアグリゲーションセルの同一周波数帯域でのコンポーネントキャリア集合だけを測定評価対象にする。
サービスセルでの測定割り当てについて、測定の目的によって、サービスセルの同一周波数帯域に位置するワーキングキャリア集合を測定評価対象にしてもよく、サービスセルのコンポーネントキャリア全体を測定評価対象にしてもよい。
【００８０】
基地局は、測定割り当て（ＲＲＣ接続再割り当てシグナリングに含まれる）により、ＵＥに以下の測定タスクを割り当てる。
【００８１】
測定タスク１（ＭＩＤ１で表記）：サービスセルのコンポーネントキャリアＣＣ１とＣＣ２での信号強度がすべて所定の閾値を超える、つまり、サービスセルの周波数帯域１でのワーキングキャリア集合において、各コンポーネントキャリアでの信号強度がすべて所定の閾値を超える。本測定タスクの測定対象は、サービスセルの周波数帯域１でのワーキングキャリアから構成されるコンポーネントキャリア集合である。
【００８２】
測定タスク２（ＭＩＤ２で表記）：サービスセルのコンポーネントキャリアＣＣ１とＣＣ２での信号強度がすべて所定の閾値より低い、つまり、サービスセルの周波数帯域１でのワーキングキャリア集合において、各コンポーネントキャリアでの信号強度がすべて所定の閾値より低い。本測定タスクの測定対象は、サービスセルの周波数帯域１でのワーキングキャリアから構成されるコンポーネントキャリア集合である。
【００８３】
測定タスク３（ＭＩＤ３で表記）：サービスセルのコンポーネントキャリアＣＣ３での信号強度が所定の閾値を超える、つまり、サービスセルの周波数帯域２でのワーキングキャリア集合において、各コンポーネントキャリアの信号強度がすべて所定の閾値を超える。本測定タスクの測定対象は、サービスセルの周波数帯域２でのワーキングキャリアから構成されるコンポーネントキャリア集合である。
【００８４】
測定タスク４（ＭＩＤ４で表記）：サービスセルのコンポーネントキャリアＣＣ３での信号強度が所定の閾値より低い、つまり、サービスセルの周波数帯域２でのワーキングキャリア集合において、各コンポーネントキャリアの信号強度がすべて所定の閾値より低い。本測定タスクの測定対象は、サービスセルの周波数帯域２でのワーキングキャリアから構成されるコンポーネントキャリア集合である。
【００８５】
測定タスク５（ＭＩＤ５で表記）：サービスセルの周波数帯域１でのワーキングキャリア集合において、各コンポーネントキャリアでの信号強度がすべて所定の閾値１より低い、且つ、ある隣接キャリアアグリゲーションセルがある周波数帯域でのコンポーネントキャリア集合における各コンポーネントキャリアでの信号強度がすべて所定の閾値２を超える。
本測定タスクの測定対象について、一つまたは複数の隣接キャリアアグリゲーションセルの一つまたは複数の周波数帯域でのコンポーネントキャリア集合である。
本実施例には、具体的に、コンポーネントキャリアＣＣ１とＣＣ２を含む隣接セル１の周波数帯域１でのコンポーネントキャリア集合、隣接セル１の周波数帯域２でのコンポーネントキャリアＣＣ３、そしてコンポーネントキャリアＣＣ４とＣＣ５を含む隣接セル２の周波数帯域３でのコンポーネントキャリア集合がある。
【００８６】
測定タスク６（ＭＩＤ６で表記）：サービスセルの周波数帯域２におけるワーキングキャリア集合の各コンポーネントキャリアでの信号強度がすべて所定の閾値１より低い、且つ、ある隣接キャリアアグリゲーションセルのある周波数帯域でのコンポーネントキャリア集合における各コンポーネントキャリアでの信号強度がすべて所定の閾値２を超える。本測定タスクの測定対象は、測定タスク５と同様である。
【００８７】
基地局で上記の測定タスクを割り当てる場合、基地局側では、ＵＥに各キャリアアグリゲーションセルの各周波数帯域でのコンポーネントキャリア集合、つまり、各周波数帯域に入っている各コンポーネントキャリアを通知する必要がある。具体的な割り当て方法は実施例３と同様なので、ここでは記述しない。
【００８８】
ＵＥの測定評価及び測定報告の実施は実施例３と同様であるため、ここでは記述しない。
【００８９】
本発明の実施例により、またユーザー機器を提供する。
【００９０】
図６は本発明の実施例によるユーザー機器の構造を示す図である。
図６に示すように、本発明の実施例において、ユーザー機器は主に受信ユニット１、測定評価ユニット３、報告ユニット５を含む。
ここで、受信ユニット１は、基地局からの測定割り当てを受信するためのものであり、その測定割り当てには、一つまたは複数の測定タスクが含まれる。
各測定タスクの測定対象は、一つまたは複数のキャリアアグリゲーションセルのコンポーネントキャリアやコンポーネントキャリア集合である。
上記一つまたは複数のキャリアアグリゲーションセルとは、該ユーザー機器のサービスセル及び/又は隣接セルである。
測定評価ユニット３は、受信ユニット１に接続され、受信ユニット１で受信した測定割り当てにより、測定評価を実行するためのものである。
報告ユニット５は、測定評価ユニット３に接続され、測定評価ユニット３で実行した測定評価結果によって、同一キャリアアグリゲーションセルにある複数又はすべてのコンポーネントキャリアの測定結果を含む測定レポートを基地局へ報告する。
【００９１】
更に、受信ユニット１は、基地局からの一つまたは複数のキャリアアグリゲーションセルの各周波数帯域でのコンポーネントキャリア、及び/または各キャリアアグリゲーションセルにあるすべてのコンポーネントキャリアに関わる通知を受信する際にも使われる。
具体的には、基地局では、各キャリアアグリゲーションセル（サービスセルと隣接セルを含む）が割り当てた唯一の物理セル標識（Ｐｈｙｓｉｃａｌ  Ｃｅｌｌ Ｉｄｅｎｔｉｔｙ；ＰＣＩと呼ぶ）により、ＵＥに各キャリアアグリゲーションセルの各周波数帯域にあるコンポーネントキャリア、及び/または各キャリアアグリゲーションセルにある全てのコンポーネントキャリアを通知する。
または、基地局では、各キャリアアグリゲーションセル（サービスセルと隣接セルを含む）にセル標識（Ｃｅｌｌ ＩＤ）を割り当てることにより、ＵＥに各キャリアアグリゲーションセルの各周波数帯域にあるコンポーネントキャリア、及び/または各キャリアアグリゲーションセルにある全てのコンポーネントキャリアを通知する。
【００９２】
上述のように、本発明の実施例に係る技術案を利用したら、基地局からＵＥへ測定割り当てを送信する場合、各測定タスクの測定対象にコンポーネントキャリアやコンポーネントキャリア集合を割り当て、ＵＥは測定割り当てに基づき、測定評価を行い、測定評価の結果により、基地局へ同一キャリアアグリゲーションセルでの複数または全部のコンポーネントキャリアの測定結果を含んだ測定レポートを送信する。
よって、ネットワーク側で一つのコンポーネントキャリアの測定結果しか取得できないためにキャリアアグリゲーションセルのチャネル品質を正確に評価できないという問題を解決し、ＵＥに対してキャリアアグリゲーションセル間でハンドオフする際のサービスクオリティ、そして、各キャリアアグリゲーション間でのモビリティも保証できる。
【００９３】
以上は、本発明の好適な実施例であり、本発明を限定するものではない。
本発明は、様々な変更や変形が可能であることは当業者には容易に理解できるであろう。
本発明の要旨または原則を逸脱しないあらゆる修正、同等置換、改良などはすべて本発明の保護範囲内に含まれるものとする。
【図１】
0005589072.tif 000002
【図２】
0005589072.tif 000003
【図３】
0005589072.tif 000004
【図４】
0005589072.tif 000005
【図５】
0005589072.tif 000006
【図６】
0005589072.tif 000007